(57)【要約】【課題】電子機器と外部端末を有するユーザとの間に障害物があっても安定的にユーザが近づいたり離れたりすることを検出する。【解決手段】電子機器１００は、外部端末３０１との無線通信が可能な電子機器であり、該電子機器の稼働状態と稼働待機状態との間での遷移を制御する制御手段２０３と、稼働状態および稼働待機状態において、外部端末との無線通信に要した通信時間を計測することが可能な計測手段２２１とを有する。制御手段は、稼働状態と稼働待機状態のうち一方の状態において計測された通信時間に応じて、電子機器を該一方の状態から他方の状態に遷移させる。【選択図】図３
2018185498.tif 000002
【特許請求の範囲】
【請求項１】
外部端末との無線通信が可能な電子機器であって、
前記電子機器の稼働状態と稼働待機状態との間での遷移を制御する制御手段と、
前記稼働状態および前記稼働待機状態において、前記外部端末との無線通信に要した通信時間を計測することが可能な計測手段とを有し、
前記制御手段は、前記稼働状態と前記稼働待機状態のうち一方の状態において計測された前記通信時間に応じて、前記電子機器を前記一方の状態から他方の状態に遷移させることを特徴とする電子機器。
【請求項２】
前記通信時間は、前記外部端末からビーコン信号が発信された時刻から前記電子機器が前記ビーコン信号を受信した時刻までの時間であることを特徴とする請求項１に記載の電子機器。
【請求項３】
前記電子機器は光源を有し、
前記稼働待機状態は前記光源が消灯している状態であり、
前記稼働状態は前記光源が点灯している状態であることを特徴とする請求項１または２に記載の電子機器。 
【請求項４】
前記電子機器は、前記光源からの光を光変調素子により変調して画像を投射する画像投射装置であることを特徴とする請求項３に記載の電子機器。 
【請求項５】
前記制御手段は、前記電子機器を前記稼働待機状態から前記稼働状態に遷移させる第１の制御と、前記稼働状態にある前記電子機器に特定の動作を行わせる第２の制御とを行うことが可能であり、
前記制御手段は、
前記通信時間に対する閾値として第１の閾値および該第１の閾値より短い第２の閾値を設定し、
前記稼働待機状態において前記通信時間が前記第１の閾値を下回ることに応じて前記第１の制御を行い、
前記通信時間が前記第２の閾値を下回ることに応じて前記第２の制御を行うことを特徴とする請求項１から４のいずれか一項に記載の電子機器。
【請求項６】
前記電子機器は、光源を有し、該光源の発光強度を第１の発光強度と該第１の発光強度より高い第２の発光強度とに切り替えることが可能であり、
前記制御手段は、
前記通信時間に対する閾値として第１の閾値および該第１の閾値より短い第２の閾値を設定し、
前記稼働待機状態において前記通信時間が前記前記第１の閾値を下回ることに応じて、前記電子機器を前記稼働待機状態から前記稼働状態に遷移させるとともに前記第１の発光強度で前記光源を点灯させ、 
前記通信時間が前記第２の閾値を下回ることに応じて、前記発光強度を前記第２の発光強度に切り替えることを特徴とする請求項１から４のいずれか一項に記載の電子機器。
【請求項７】
前記画像投射装置としての前記電子機器は、複数の映像入力端子を備え、該複数の映像入力端子のうち映像信号が入力されている映像入力端子または入力されている映像信号の種類を表示する映像入力表示機能を有し、
前記制御手段は、
前記通信時間に対する閾値として第１の閾値および該第１の閾値より短い第２の閾値を設定し、
前記稼働待機状態において前記通信時間が前記第１の閾値を下回ることに応じて、前記電子機器を前記稼働待機状態から前記稼働状態に遷移させ、
前記通信時間が前記第２の閾値を下回ることに応じて、前記電子機器に前記映像入力表示機能による表示を行わせることを特徴とする請求項４に記載の電子機器。
【請求項８】
前記画像投射装置としての前記電子機器は、スピーカを備え、該スピーカから音声を出力する音声出力機能を有し、
前記制御手段は、
前記通信時間に対する互いに異なる閾値として第１の閾値および該第１の閾値より短い第２の閾値を設定し、
前記稼働待機状態において前記通信時間が前記第１の閾値を下回ることに応じて、前記電子機器を前記稼働待機状態から前記稼働状態に遷移させ、
前記通信時間が前記第２の閾値を下回ることに応じて、前記電子機器に前記音声出力機能による音声出力を行わせることを特徴とする請求項４に記載の電子機器。
【請求項９】
前記制御手段は、前記稼働状態にある前記電子機器に特定の動作を行わせる第３の制御と、前記電子機器を前記稼働状態から前記稼働待機状態に遷移させる第４の制御とを行うことが可能であり、
前記制御手段は、
前記通信時間に対する閾値として第３の閾値および該第３の閾値より長い第４の閾値を設定し、
前記稼働状態において前記通信時間が前記第３の閾値を上回ることに応じて前記第３の制御を行い、
前記通信時間が前記第４の閾値を上回ることに応じて、前記第４の制御を行うことを特徴とする請求項１から４のいずれか一項に記載の電子機器。
【請求項１０】
前記電子機器は、光源を有し、該光源の発光強度を第３の発光強度と該第３の発光強度より低い第４の発光強度とに切り替えることが可能であり、
前記制御手段は、
前記通信時間に対する閾値として第３の閾値および該第３の閾値より長い第４の閾値を設定し、
前記光源が前記第３の発光強度で点灯している状態において前記通信時間が前記第３の閾値を上回ることに応じて、前記発光強度を前記第４の発光強度に切り替え、
前記通信時間が前記第４の閾値を上回ることに応じて、前記電子機器を前記稼働状態から前記稼働待機状態に遷移させることを特徴とする請求項１から４のいずれか一項に記載の電子機器。
【請求項１１】
前記画像投射装置としての前記電子機器は、入力される映像信号にかかわらず特定映像を表示することが可能であり、
前記制御手段は、
前記通信時間に対する閾値として第３の閾値および該第３の閾値より長い第４の閾値を設定し、
前記稼働状態において前記通信時間が前記第３の閾値を上回ることに応じて前記特定映像を表示し、
前記通信時間が前記第４の閾値を上回ることに応じて、前記電子機器を前記稼働状態から前記稼働待機状態に遷移させることを特徴とする請求項４に記載の電子機器。
【請求項１２】
前記制御手段は、前記外部端末から取得した識別情報が登録済み識別情報と一致する場合に限り、前記通信時間に応じて前記電子機器を前記一方の状態から前記他方の状態に遷移させることを特徴とする請求項１から１１のいずれか一項に記載の電子機器。
【請求項１３】
前記無線通信は、無線ＬＡＮまたはBluetooth(R)を用いて行われることを特徴とする請求項１から１２のいずれか一項に記載の電子機器。
【請求項１４】
外部端末との無線通信が可能な電子機器の制御方法であって、
該電子機器の稼働状態および稼働待機状態において、前記外部端末との無線通信に要する通信時間を計測するステップと、
前記稼働状態と前記稼働待機状態のうち一方の状態において計測された前記通信時間に応じて、前記電子機器を前記一方の状態から他方の状態に遷移させるステップとを有することを特徴とする電子機器の制御方法。
【請求項１５】
外部端末との無線通信が可能な電子機器のコンピュータに処理を実行させるコンピュータプログラムであって、
前記処理は、
該電子機器の稼働状態および稼働待機状態において、前記外部端末との無線通信に要する通信時間を計測する処理と、
前記稼働状態と前記稼働待機状態のうち一方の状態において計測された前記通信時間に応じて、前記電子機器を前記一方の状態から他方の状態に遷移させる処理とを含むことを特徴とする制御プログラム。
【発明の詳細な説明】
【技術分野】
【０００１】
本発明は、外部端末との無線通信が可能な電子機器に関する。
【背景技術】
【０００２】
電子機器には、稼働待機状態（主機能が停止している状態）から稼働状態（主機能が所定の性能を発揮できる状態）に立ち上がるまでに、ある程度の時間を必要とするものがある。このような電子機器を所望の時刻に使用したいユーザは、その時刻より前に自ら稼働状態に立ち上げるための操作をしたり、タイマー機能を利用してその時刻まで稼働状態に立ち上がるように事前に設定しておいたりする必要がある。
【０００３】
また、電子機器の近傍にユーザが存在することを判定して、該電子機器に特定の機能を実行させることができる様々な電子機器が開示されている。特許文献１にて開示された電子機器（テレビ）は、ユーザが携行する外部端末からの無線電波の強度に応じて、該外部端末に画像データを送信する。特許文献２にて開示された電子機器（テレビ）は、赤外線センサやカメラを用いてユーザの距離や数を検出した結果に応じて、表示する文字の大きさを変更する。また、ユーザがいないことを確認すると、電源をオフにする。特許文献３にて開示された電子機器（照明機器）は、外部端末からの無線信号の受信強度に応じて、照明機器の色温度を滑らかに調整する。特許文献４にて開示された電子機器（エアコン）は、室内におけるユーザの有無、エアコンに対するユーザの距離や位置およびユーザの活動量を赤外線センサを用いて検出した結果に応じて、エアコンの風量や風向を制御する。
【先行技術文献】
【特許文献】
【０００４】
【特許文献１】特開２０１４−１２７７４０号公報
【特許文献２】特開２００８−７２５６１号公報
【特許文献３】特開平９−３０６６７３号公報
【特許文献４】特開平１０−００４７７３１号公報
【発明の概要】
【発明が解決しようとする課題】
【０００５】
特許文献１〜４にて開示されたいずれの電子機器も、ユーザが携行する外部端末から受信する無線電波の強度や赤外線センサまたはカメラを通してユーザが近くに存在することを判定する。しかしながら、これらの判定方法では、電子機器とユーザとの間に壁等の障害物が存在すると受信電波強度が弱くなったり赤外センサやカメラがユーザを検出できなかったりして、上述した特定の機能を実行させることができないおそれがある。
【０００６】
本発明は、電子機器とユーザ（外部端末）との間に障害物があっても安定的にユーザが近づいたり離れたりすることを検出して特定の機能を実行できるようにした電子機器を提供する。
【課題を解決するための手段】
【０００７】
本発明の一側面とてしての電子機器は、外部端末との無線通信が可能な電子機器であり、該電子機器の稼働状態と稼働待機状態との間での遷移を制御する制御手段と、稼働状態および稼働待機状態において、外部端末との無線通信に要した通信時間を計測することが可能な計測手段とを有する。制御手段は、稼働状態と稼働待機状態のうち一方の状態において計測された通信時間に応じて、電子機器を該一方の状態から他方の状態に遷移させることを特徴とする。
【０００８】
また、本発明の他の一側面としての制御方法は、外部端末との無線通信が可能な電子機器に適用される。該制御方法は、電子機器の稼働状態および稼働待機状態において、外部端末との無線通信に要する通信時間を計測するステップと、稼働状態と稼働待機状態のうち一方の状態において計測された通信時間に応じて、電子機器を該一方の状態から他方の状態に遷移させるステップとを有することを特徴とする。
【０００９】
なお、上記制御方法に従う処理をコンピュータに実行させる制御プログラムも、本発明の他の一側面を構成する。
【発明の効果】
【００１０】
本発明によれば、電子機器と外部端末（ユーザ）との間に障害物があっても安定的にユーザが近づいたり離れたりすることを検出して、電子機器の稼働状態と稼働待機状態との間の遷移を良好に制御することができる。
【図面の簡単な説明】
【００１１】
【図１】本発明の実施例１〜４であるプロジェクタの外観図。
【図２】実施例１〜３のプロジェクタの構成を示すブロック図。
【図３】実施例１のプロジェクタとユーザを示す図。
【図４】実施例１のプロジェクタが行う処理を示すフローチャート。
【図５】実施例２のプロジェクタとユーザを示す図。
【図６】実施例２のプロジェクタが行う処理を示すフローチャート。
【図７】実施例３のプロジェクタとユーザを示す図。
【図８】実施例３のプロジェクタが行う処理を示すフローチャート。
【図９】実施例４のプロジェクタとユーザを示す図。
【図１０】実施例４のプロジェクタが行う処理を示すフローチャート。
【発明を実施するための形態】
【００１２】
以下、本発明の実施例について図面を参照しながら説明する。
【実施例１】
【００１３】
図１には、本発明の実施例１である電子機器としての画像投射装置（以下、プロジェクタ）１００の外観を示している。図１において、１０１は本体（筐体）であり、１０２は投射レンズである。投射レンズ１０２はズーム機能を有し、投射する画像の大きさを選択することができる。１０３は電源ボタンであり、１０４は各種設定を行うためのメニュー画面をＯＳＤ（オンスクリーンディスプレイ）機能により表示させるためのメニューボタンである。１０５は映像信号の入力先を選択するボタンであり、１０６はメニュー画面内で選択や決定を行うためのボタンである。１０７〜１１０はＯＳＤ画面上で選択するメニューを上下左右に移動させるためのボタンである。
【００１４】
１１１は音声入力端子であり、１１２は音声出力端子である。１１３はデジタル映像信号入力端子であり、１１４はアナログ映像信号入力端子である。１２１はＡＣ電源のインレットであり、外部の商用電源とケーブルを介して接続される。１２０は本体１０１の内部を冷却するための外気を取り込む吸気口である。
【００１５】
図２は、本実施例のプロジェクタ１００の電気的構成を示している。２０１は映像信号処理マイクロコンピュータ（以下、マイクロコンピュータはマイコンと略記する）であり、外部の映像出力機器（図示せず）から入力されたデジタルまたはアナログ映像信号に対して、後述する解像度変換処理や色補正処理を行う。映像信号処理マイコン２０１は、デジタル映像入力端子１１３またはアナログ映像入力端子１１４からの映像入力を検知すると、デジタル映像信号にはデコード処理を、アナログ映像信号にはＡ／Ｄ変換処理を行うとともに、該入力映像信号の解像度を判定する。そして、デコード処理またはＡ／Ｄ変換処理により生成された映像データに対して、光変調素子としての液晶パネル２０７の駆動（表示）に適した解像度への変換（スケーリング）処理を行い、液晶パネルドライバ２１１に解像度変換された映像データを伝送する。映像信号処理マイコン２０１は、これ以外に、映像データに対するガンマ補正、台形補正および色むら補正処理を行う。液晶パネルドライバ２１１は、受け取った映像データや制御信号に応じて液晶パネル２０７を駆動して、該液晶パネル２０７に原画を形成（表示）させる。液晶パネル２０７は、原画に応じて光源２１６からの光を変調する。この変調光は、投射レンズ１０２により不図示のスクリーン等の被投射面に投射される。
【００１６】
なお、本実施例では、液晶パネルを光変調素子として使用するプロジェクタを例として説明するが、光変調素子としては、デジタルマイクロミラーデバイス等、液晶パネル以外のものを用いてもよい。
【００１７】
２０３はプロジェクタ制御マイコンであり、操作ボタン１０３〜１１０からの入力に応じてプロジェクタ１００の動作を制御する。また、プロジェクタ制御マイコン２０３は、光源制御回路２１３を介して水銀ランプ等の光源２１６の点灯を制御したり、複数の温度センサ２１４を通じて本体１０１内の温度を検出した結果に応じて複数の冷却ファン２１２の駆動を制御したりする。また、プロジェクタ制御マイコン２０３は、操作ボタン１０７〜１１０のいずれかの操作を通じて投射レンズ１０２のズーム状態の変更の指示を受け付けると、モータドライバ２１０を介してズームモータ２１５を駆動することで投射レンズ１０２の倍率を変更する。
【００１８】
複数の温度センサ２１４の一部は光源２１６周辺に取り付けられており、プロジェクタ制御マイコン２０３はその温度センサ２１４を通じて検出した温度に応じて、光源２１６を適切な温度に維持するように複数の冷却ファン２１２の風量を調整する。２０９は投射レンズ１０２のフォーカス状態を調整するためのフォーカスモータである。プロジェクタ制御マイコン２０３は、ＡＦセンサ２０８の出力からピント位置へのレンズ調整量を算出し、モータドライバ２１０を介してフォーカスモータ２０９を駆動する。
【００１９】
ネットワーク制御マイコン２０２は、ＷｉＦｉ Ａｗａｒｅ等を利用した無線通信に対応した無線ＬＡＮモジュール２２１から受信したデータ信号を処理し、プロジェクタ制御マイコン２０３で処理できる信号に変換する。
【００２０】
本実施例では、プロジェクタ１００が稼働状態および稼働待機状態のいずれにあっても、無線ＬＡＮモジュール２２１、ネットワーク制御マイコン２０２およびプロジェクタ制御マイコン２０３は後述するＡＣ電源２２０からＤＣ電源の供給を受けて動作可能である。プロジェクタ１００の稼働状態とは、光源２１６を点灯して映像投射を行っている（またはすぐに映像投影を行える）状態である。一方、稼働待機状態とは、光源２１６を消灯して映像投射を行っていない（行えない）状態であり、以下の説明では単に待機状態という。
【００２１】
プロジェクタ１００は、無線ＬＡＮモジュール２２１を通じて、スマートフォン、ビーコン端末、パーソナルコンピュータ等の外部制御機器と無線通信を行うことができる。ＡＣ電源２２０は、インレット１２１経由で供給される商用電源からプロジェクタ１００内で使用するＤＣ電源を生成する。２１３は光源制御回路であり、プロジェクタ制御マイコン２０３からの指令を受けて、光源２１６の点灯に必要な高電圧を生成する。２０５，２１８，２２３は不揮発性のメモリであり、それぞれ接続先のマイコンが使用するプログラムおよび設定用データを格納している。２０６は大容量の揮発性メモリであり、投射画像のフレームバッファやマイコンの演算用バッファとして使用される。
【００２２】
２０４は音声処理ＩＣであり、音声入力端子１１１から入力された音声信号を処理したり、映像信号処理マイコン２０１からの音声信号をスピーカ２１７や音声出力端子１１２に出力したりする。
【００２３】
図３は、本実施例のプロジェクタ１００とユーザとの位置関係の例を示す。プロジェクタ１００は、該プロジェクタ１００から直線距離（以下、単に距離という）で１０ｍ離れた位置にいるユーザ３０２から見て不図示の壁とドアＤで仕切られた部屋の中に設置されている。ユーザ３０２は、外部端末としての無線ＬＡＮ端末３０１を携行しており、無線ＬＡＮ端末３０１は周辺の様々な機器に向けてビーコン信号を定期的に発信している。ユーザ３０２はプロジェクタ１００から見てドアＤの外に位置するため、プロジェクタ１００に赤外線センサやカメラが設けられていてもプロジェクタ１００がユーザを検出することはできない。
【００２４】
ユーザ３０２は、上記１０ｍ離れた位置から無線ＬＡＮ端末３０１を携行しながらプロジェクタ１００が設置された部屋の内部に入っていく。部屋内に入ったユーザ３０３は、プロジェクタ１００から３ｍ離れて位置する。
【００２５】
図４は、図３に示したユーザ３０２（３０３）の動きに対応して制御手段としてのプロジェクタ制御マイコン２０３が行う処理（制御方法）の流れを示している。
【００２６】
プロジェクタ制御マイコン２０３（以下、単にマイコン２０３という）は、コンピュータプログラムであるプロジェクタ制御プログラムに従って本処理を実行する。図４および以下の説明において、Ｓはステップ（または処理）を示す。これらのことは、後述する他の実施例でも同じである。
【００２７】
本処理の開始時点（Ｓ４００）では、ユーザ３０２は部屋の外にプロジェクタ１００から１０ｍ離れて位置しており、部屋内のプロジェクタ１００は上述した待機状態にある。
【００２８】
本処理を開始したマイコン２０３は、Ｓ４０１において、カウンタｎを初期値（０）にセットする。その後、マイコン２０３は、Ｓ４０２においてユーザ３０２が携行する無線ＬＡＮ端末３０１からのビーコン信号を受信することに応じてＳ４０３に進む。前述したように、本実施例のプロジェクタ１００は待機状態においても無線ＬＡＮ端末３０１からのビーコン信号を受信することが可能である。
【００２９】
マイコン２０３は、Ｓ４０３において、受信（取得）したビーコン信号に含まれる無線ＬＡＮ端末３０１を示す識別情報（ＩＤ）が、プロジェクタ１００において事前登録済みの１又は複数の識別情報（登録済みＩＤ）のいずれかに一致するか否かを確認する。マイコン２０３は、上記両ＩＤが一致しない場合はステップＳ４０２に戻り、一致した場合は次のＳ４０４に進む。
【００３０】
Ｓ４０４では、マイコン２０３は、ＩＤ登録済みの無線ＬＡＮ端末３０１との通信接続を行う。これにより、無線ＬＡＮモジュール２２１は無線ＬＡＮ端末３０１から発信されたビーコン信号を受信する。その後、マイコン２０３は、Ｓ４０５において、ネットワーク制御マイコン２０２を通じて無線ＬＡＮモジュール２２１から、無線ＬＡＮ端末３０１との通信に要した通信時間として電波の伝搬遅延時間ｔｎを読み出す。無線ＬＡＮモジュール２２１は、伝搬遅延時間ｔｎを計測する計測手段に相当する。
【００３１】
ここで、ユーザ３０２が携行する無線ＬＡＮ端末３０１がビーコン信号を発信した時刻をＴｎ＿ｂｅａｃｏｎとし、プロジェクタ１０１が無線ＬＡＮ端末３０１から上記ビーコン信号を受信した時刻をＴｎ＿ｐｊとする。Ｔｎ＿ｂｅａｃｏｎは、ビーコン信号に含まれる無線通信パケットの中にTimestamp情報として含まれている。Timestamp情報は、相手と通信接続してからの経過時刻を示し、日時を表す時刻とは異なる。このとき、伝搬遅延時間ｔｎは、以下の式（１）で求められる。
ｔｎ＝Ｔｎ＿ｐｊ−Ｔｎ＿ｂｅａｃｏｎ        （１）
ただし、ｎは整数である。
【００３２】
伝搬遅延時間ｔｎは無線ＬＡＮ端末３０１とプロジェクタ１００との間の距離に対応する。したがって、伝搬遅延時間ｔｎを用いて無線ＬＡＮ端末３０１とプロジェクタ１００との間の距離を推定（計測）することができる。
【００３３】
次にマイコン２０３は、Ｓ４０６において、伝搬遅延時間ｔｎが第１の閾値である閾値Ｔαを下回っているか否かを判定し、下回っている場合はＳ４０７においてプロジェクタ１００を待機状態から稼働状態に遷移させる（第１の制御を行う）。すなわち、光源２１６を点灯させ、映像投影が可能な状態に切り替える。閾値Ｔαは無線ＬＡＮ端末３０１とプロジェクタ１００との間の距離によって決まる時間であり、本実施例では該距離が１０ｍである場合の電波の伝搬遅延時間である。したがって、ユーザ３０２がプロジェクタ１００に対して１０ｍより近づいたときにプロジェクタ１０１は稼働状態に遷移する。この後、マイコン２０３はＳ４０８に進む。
【００３４】
一方、Ｓ４０６において伝搬遅延時間ｔｎが閾値Ｔα以上である場合、すなわちユーザ３０２がプロジェクタ１００から１０ｍ以上離れている場合は、マイコン２０３はステップＳ４０２に戻って再度Ｓ４０６までの処理を繰り返す。
【００３５】
Ｓ４０８では、マイコン２０３は、カウンタｎを１つカウントアップするとともに、伝搬遅延時間ｔｎを再度読み出す。そして、Ｓ４０９において、マイコン２０３は、伝搬遅延時間ｔｎが閾値Ｔαを下回っており、かつカウンタｎが閾値Ｎより小さいか否かを確認する。伝搬遅延時間ｔｎが閾値Ｔαを下回っており、かつカウンタｎが閾値Ｎより小さい場合はマイコン２０３はＳ４１０に進む。一方、伝搬遅延時間ｔｎが閾値Ｔα以上またはカウンタｎが閾値Ｎ以上である場合は、マイコン２０３はＳ４１３において光源２１６を消灯してプロジェクタ１００を稼働状態から待機状態に遷移させ、Ｓ４１４にて本処理を終了する。
【００３６】
Ｓ４１０では、マイコン２０３は、伝搬遅延時間ｔｎが第２の閾値である閾値Ｔβ（＜Ｔα）を下回っているか否かを判定し、下回っている場合はＳ４１２に進む。閾値Ｔβも、無線ＬＡＮ端末３０１とプロジェクタ１００との間の距離によって決まる時間であり、本実施例では該距離が３ｍである場合の電波の伝搬遅延時間である。したがって、ユーザ３０３がプロジェクタ１００に対して３ｍより近づいたときにマイコン２０３はＳ４１２に進む。一方、伝搬遅延時間ｔｎが閾値Ｔβ以上である場合は、マイコン２０３はＳ４１１に進み、Ｓ４０８と同様に、カウンタｎを１つカウントアップするとともに伝搬遅延時間ｔｎを再度読み出してＳ４０９の判定に進む。
【００３７】
Ｓ４１２では、マイコン２０３は、ＯＳＤ機能により、投射画面上に現在、映像信号が入力されている映像入力端子または入力されている映像信号の種類（デジタル／アナログや解像度等）を表示する。すなわち、特定の動作である映像入力表示機能による表示を行わせる（第２の制御を行う）。この表示を見たユーザ３０３は、プロジェクタ１００が稼働状態にあり、所望の映像信号がプロジェクタ１００に入力されているか否か（すぐに映像投射を開始できるか否か）を判断することができる。その後、マイコン２０３はＳ４１４にて本処理を終了する。
【００３８】
なお、本実施例では、Ｓ４１２での表示によりユーザにプロジェクタ１００が稼働状態にあることを通知するようにしたが、スピーカ２１７からの音声出力によって通知してもよい。すなわち、音声出力機能による音声出力を行ってもよい。
【実施例２】
【００３９】
次に、本発明の実施例２であるプロジェクタについて説明する。本実施例のプロジェクタの外観および電気的構成は、実施例１において図１および図２を用いて説明したもの同じである。
【００４０】
図５は、本実施例のプロジェクタ１００とユーザとの位置関係の例を示す。プロジェクタ１００は、不図示の壁とドアＤを有する部屋の中に設置されている。５０４は同部屋内においてプロジェクタ１００から１０ｍの距離離れた位置にいるユーザを、５０３はプロジェクタ１００から５ｍの距離まで近づいたユーザを、５０２はプロジェクタから３ｍの距離まで近づいたユーザをそれぞれ示している。ユーザ５０４（５０３，５０２）は、無線ＬＡＮ端末５０１を携行しており、無線ＬＡＮ端末５０１は周辺の様々な機器に向けてビーコン信号を定期的に発信している。
【００４１】
図６は、図５に示したユーザ５０４（５０３，５０２）の動きに対応してマイコン２０３が行う処理（制御方法）の流れを示している。本処理の開始時点（Ｓ６００）では、ユーザ５０４はプロジェクタ１００から１０ｍ離れて位置しており、プロジェクタ１００は待機状態にある。
【００４２】
Ｓ６０１〜Ｓ６０５の処理は、実施例１（図４）のＳ４０１〜Ｓ４０５の処理と同じであり、本実施例では実施例１におけるユーザ３０２をユーザ５０４に読み替え、無線ＬＡＮ端末３０１を無線ＬＡＮ端末５０１に読み替える。
【００４３】
Ｓ６０６では、マイコン２０３は、伝搬遅延時間ｔｎが第１の閾値である閾値Ｔａを下回っているか否かを判定し、下回っている場合はＳ６０７においてプロジェクタ１００を待機状態から稼働状態に遷移させる。すなわち、光源２１６を点灯させ、映像投影が可能な状態に切り替える。この際、光源２１６の発光強度は、通常の映像投射を行う際の被投射面（スクリーン等）上での輝度よりもかなり低い輝度が得られる第１の発光強度に設定される。閾値Ｔａは無線ＬＡＮ端末５０１とプロジェクタ１００との間の距離によって決まる時間であり、本実施例では該距離が１０ｍである場合の電波の伝搬遅延時間である。したがって、ユーザ５０４がプロジェクタ１００に対して１０ｍより近づいたときにプロジェクタ１０１は稼働状態に遷移する。この後、マイコン２０３はＳ６０８に進む。
【００４４】
一方、Ｓ６０６において伝搬遅延時間ｔｎが閾値Ｔａ以上である場合、すなわちユーザ５０４がプロジェクタ１００から１０ｍ以上離れている場合は、マイコン２０３はステップＳ６０２に戻って再度Ｓ６０６までの処理を繰り返す。
【００４５】
Ｓ６０８では、マイコン２０３は、カウンタｎを１つカウントアップするとともに、伝搬遅延時間ｔｎを再度読み出す。そして、Ｓ６０９において、マイコン２０３は、伝搬遅延時間ｔｎが閾値Ｔａを下回っており、かつカウンタｎが閾値Ｎより小さいか否かを確認する。伝搬遅延時間ｔｎが閾値Ｔａを下回っており、かつカウンタｎが閾値Ｎより小さい場合はマイコン２０３はＳ６１０に進む。一方、伝搬遅延時間ｔｎが閾値Ｔａ以上またはカウンタｎが閾値Ｎ以上である場合は、マイコン２０３はＳ６１８において光源２１６を消灯してプロジェクタ１００を稼働状態から待機状態に遷移させ、Ｓ６１９にて本処理を終了する。
【００４６】
Ｓ６１０では、マイコン２０３は、伝搬遅延時間ｔｎが第２の閾値である閾値Ｔｂ（＜Ｔａ）を下回っているか否かを判定し、下回っている場合はＳ６１２に進む。閾値Ｔｂも、無線ＬＡＮ端末５０１とプロジェクタ１００との間の距離によって決まる時間であり、本実施例では該距離が５ｍである場合の電波の伝搬遅延時間である。したがって、ユーザ５０３がプロジェクタ１００に対して５ｍより近づいたときにマイコン２０３はＳ６１２に進む。一方、伝搬遅延時間ｔｎが閾値Ｔｂ以上である場合は、マイコン２０３はＳ６１１に進み、Ｓ６０８と同様に、カウンタｎを１つカウントアップするとともに伝搬遅延時間ｔｎを再度読み出してＳ６０９の判定に進む。
【００４７】
Ｓ６１２では、マイコン２０３は、光源２１６の発光強度をＳ６０６での点灯時の第１の発光強度より高い第２の発光強度に上げる（すなわち第２の制御を行う）。この光源２１６が発光強度を上げる動作が特定の動作に相当する。第２の発光強度は、通常の映像投射を行う際の被投射面上での輝度よりも少し低い輝度であってＳ６０６での点灯時の輝度より高い輝度が得られるように設定される。そして、Ｓ６１３に進む。
【００４８】
Ｓ６１３では、マイコン２０３は、Ｓ６０８と同様にカウンタｎを１つカウントアップするとともに、伝搬遅延時間ｔｎを再度読み出す。そして、Ｓ６１４において、マイコン２０３は、伝搬遅延時間ｔｎが閾値Ｔｂを下回っており、かつカウンタｎが閾値Ｎより小さいか否かを確認する。伝搬遅延時間ｔｎが閾値Ｔｂを下回っており、かつカウンタｎが閾値Ｎより小さい場合はマイコン２０３はＳ６１５に進む。一方、伝搬遅延時間ｔｎが閾値Ｔｂ以上またはカウンタｎが閾値Ｎ以上である場合は、マイコン２０３はＳ６１８において光源２１６を消灯してプロジェクタ１００を稼働状態から待機状態に遷移させ、Ｓ６１９にて本処理を終了する。
【００４９】
Ｓ６１５では、マイコン２０３は、伝搬遅延時間ｔｎが閾値Ｔｃ（＜Ｔｂ）を下回っているか否かを判定し、下回っている場合はＳ６１７に進む。閾値Ｔｃも、無線ＬＡＮ端末５０１とプロジェクタ１００との間の距離によって決まる時間であり、本実施例では該距離が３ｍである場合の電波の伝搬遅延時間である。したがって、ユーザ５０２がプロジェクタ１００に対して３ｍより近づいたときにマイコン２０３はＳ６１５に進む。一方、伝搬遅延時間ｔｎが閾値Ｔｃ以上である場合は、マイコン２０３はＳ６１６に進み、Ｓ６０８と同様に、カウンタｎを１つカウントアップするとともに伝搬遅延時間ｔｎを再度読み出してＳ６１４の判定に進む。
【００５０】
Ｓ６１７では、マイコン２０３は、光源２１６の発光強度をＳ６１２での第２の発光強度よりさらに上げる。ここでの発光強度は、通常の映像投射を行う際の被投射面上での輝度が得られるように設定される。そして、マイコン２０３は、Ｓ６１９に進んで本処理を終了する。
【００５１】
本実施例では、伝搬遅延時間に対する３つの閾値Ｔａ，Ｔｂ，Ｔｃを設定する場合について説明したが、閾値Ｔｂ，Ｔｃは、第１の閾値Ｔａよりも短い第２の閾値としてまとめることができる。本実施例では、伝搬遅延時間が閾値Ｔｂと閾値Ｔｃをそれぞれ下回るごとに、光源２１６の発光強度を第１の発光強度から段階的に上げている。
【実施例３】
【００５２】
次に、本発明の実施例３であるプロジェクタについて説明する。本実施例のプロジェクタの外観および電気的構成は、実施例１において図１および図２を用いて説明したもの同じである。
【００５３】
図７は、本実施例のプロジェクタ１００とユーザとの位置関係の例を示す。プロジェクタ１００は、不図示の壁とドアＤを有する部屋の中に設置されている。７０２は部屋内においてプロジェクタ１００の近傍に位置するユーザを、７０３は部屋内でプロジェクタ１００から３ｍの距離だけ離れたユーザを、７０４はドアＤから部屋の外に出てプロジェクタから１０ｍの距離だけ離れたユーザをそれぞれ示している。ユーザ７０２（７０３，７０４）は、無線ＬＡＮ端末７０１を携行しており、無線ＬＡＮ端末７０１は周辺の様々な機器に向けてビーコン信号を定期的に発信している。
【００５４】
図８は、図７に示したユーザ７０２（７０３，７０２）の動きに対応してマイコン２０３が行う処理（制御方法）の流れを示している。本処理の開始時点（Ｓ８００）では、ユーザ７０２はプロジェクタ１００の近傍に位置しており、プロジェクタ１００は稼働状態にあって入力された映像信号に応じた通常の映像投射を行っている。
【００５５】
Ｓ８０１〜Ｓ８０５の処理は、実施例１（図４）のＳ４０１〜Ｓ４０５の処理と同じであり、本実施例では実施例１におけるユーザ３０２をユーザ７０２に読み替え、無線ＬＡＮ端末５０１を無線ＬＡＮ端末７０１に読み替える。
【００５６】
Ｓ８０６では、マイコン２０３は、伝搬遅延時間ｔｎが第３の閾値である閾値Ｔβを上回っているか否かを判定する。伝搬遅延時間ｔｎが閾値Ｔβを上回っている場合はマイコン２０３は、Ｓ８０７において、入力されている映像信号に関わらず、プロジェクタ１００に特定画像としての全面黒画像を投射させる（第３の制御を行う）。すなわち、特定の動作としての特定映像表示機能による表示を行わせる。閾値Ｔβは無線ＬＡＮ端末７０１とプロジェクタ１００との間の距離によって決まる時間であり、本実施例では該距離が３ｍである場合の電波の伝搬遅延時間である。したがって、ユーザ７０３がプロジェクタ１００から３ｍより遠くに離れたときにプロジェクタ１０１は全面黒画像を投射する。この後、マイコン２０３はＳ８０８に進む。
【００５７】
一方、Ｓ８６０６において伝搬遅延時間ｔｎが閾値Ｔβ以下である場合、すなわちユーザ５０４がプロジェクタ１００から３ｍ以内に留まっている場合は、マイコン２０３はステップＳ８０２に戻って再度Ｓ８０６までの処理を繰り返す。
【００５８】
Ｓ８０８では、マイコン２０３は、カウンタｎを１つカウントアップするとともに、伝搬遅延時間ｔｎを再度読み出す。そして、Ｓ８０９では、マイコン２０３は、伝搬遅延時間ｔｎが閾値Ｔβを上回っており、かつカウンタｎが閾値Ｎより小さいか否かを確認する。伝搬遅延時間ｔｎがＴβを上回っており、かつカウンタｎが閾値Ｎより小さい場合はマイコン２０３はＳ８１０に進む。一方、伝搬遅延時間ｔｎがＴβ以下またはカウンタｎが閾値Ｎ以上である場合は、マイコン２０３はＳ８１３において全面黒画像を表示する状態から通常の映像投射を行う状態に切り替えて、Ｓ８１４にて本処理を終了する。
【００５９】
Ｓ８１０では、マイコン２０３は、伝搬遅延時間ｔｎが第４の閾値である閾値Ｔα（＞Ｔβ）を上回っているか否かを判定し、上回っている場合はＳ８１２に進む。閾値Ｔαも、無線ＬＡＮ端末７０１とプロジェクタ１００との間の距離によって決まる時間であり、本実施例では該距離が１０ｍである場合の電波の伝搬遅延時間である。したがって、ユーザ７０４がプロジェクタ１００から１０ｍより遠くに離れたときにマイコン２０３はＳ８１２に進む。一方、伝搬遅延時間ｔｎが閾値Ｔα以下である場合は、マイコン２０３はＳ８１１に進み、Ｓ８０８と同様に、カウンタｎを１つカウントアップするとともに伝搬遅延時間ｔｎを再度読み出してＳ８０９の判定に進む。
【００６０】
Ｓ８１２では、マイコン２０３は、プロジェクタ１００を稼働状態から待機状態に遷移させ（第４の制御を行い）、光源２１６を消灯して、Ｓ８１４で本処理を終了する。
【実施例４】
【００６１】
次に、本発明の実施例４であるプロジェクタについて説明する。本実施例のプロジェクタの外観および電気的構成は、実施例１において図１および図２を用いて説明したもの同じである。
【００６２】
図９は、本実施例のプロジェクタ１００とユーザとの位置関係の例を示す。プロジェクタ１００は、不図示の壁とドアＤを有する部屋の中に設置されている。９０２は部屋内においてプロジェクタ１００の近傍に位置するユーザを、９０３は部屋内でプロジェクタ１００から３ｍの距離だけ離れたユーザを、９０４は部屋内でプロジェクタから５ｍの距離だけ離れたユーザをそれぞれ示している。また。９０５は部屋内でプロジェクタから１０ｍの距離だけ離れたユーザを示している。ユーザ９０２（９０３〜９０５）は、無線ＬＡＮ端末９０１を携行しており、無線ＬＡＮ端末９０１は周辺の様々な機器に向けてビーコン信号を定期的に発信している。
【００６３】
図１０は、図９に示したユーザ９０２（９０３〜９０５）の動きに対応してマイコン２０３が行う処理（制御方法）の流れを示している。本処理の開始時点（Ｓ１０００）では、ユーザ９０２はプロジェクタ１００の近傍に位置しており、プロジェクタ１００は稼働状態にあって入力された映像信号に応じた通常の映像投射を行っている。
【００６４】
Ｓ１００１〜Ｓ１００５の処理は、実施例１（図４）のＳ４０１〜Ｓ４０５の処理と同じであり、本実施例では実施例１におけるユーザ３０２をユーザ９０２に読み替え、無線ＬＡＮ端末３０１を無線ＬＡＮ端末９０１に読み替える。
【００６５】
Ｓ１００６では、マイコン２０３は、伝搬遅延時間ｔｎが第３の閾値である閾値Ｔｃを上回っているか否かを判定する。伝搬遅延時間ｔｎが閾値Ｔｃを上回っている場合は、マイコン２０３は、Ｓ１００７において、光源２１６の発光強度をＳ１０００での通常の映像投射を行っていた第３の発光強度より少し下げた第４の発光強度に設定する（すなわち第３の制御を行う）。この光源２１６が発光強度を下げる動作が特定の動作に相当する。
【００６６】
閾値Ｔｃは、無線ＬＡＮ端末９０１とプロジェクタ１００との間の距離によって決まる時間であり、本実施例では該距離が３ｍである場合の電波の伝搬遅延時間である。したがって、ユーザ９０３がプロジェクタ１００から３ｍより遠くに離れたときにマイコン２０３はＳ１００７に進む。
【００６７】
一方、伝搬遅延時間ｔｎが閾値Ｔｃ以下である場合、すなわちユーザ９０２がプロジェクタ１０１から３ｍ以内に留まっている場合は、マイコン２０３はＳ１００２に戻って再度Ｓ１００６までの処理を繰り返す。
【００６８】
Ｓ１００８では、マイコン２０３は、カウンタｎを１つカウントアップするとともに、伝搬遅延時間ｔｎを再度読み出す。そして、Ｓ１００９において、マイコン２０３は、伝搬遅延時間ｔｎが閾値Ｔｃを上回っており、かつカウンタｎが閾値Ｎより小さいか否かを確認する。伝搬遅延時間ｔｎが閾値Ｔｃを上回っており、かつカウンタｎが閾値Ｎより小さい場合はマイコン２０３はＳ１０１０に進む。一方、伝搬遅延時間ｔｎが閾値Ｔｃ以下またはカウンタｎが閾値Ｎ以上である場合は、マイコン２０３はＳ１０１８に進み、光源２１６の発光強度をＳ１００７で下げた第４の発光強度より上げて通常の映像投射用の第３の発光強度に設定する。そして、Ｓ１０１９にて本処理を終了する。
【００６９】
Ｓ１０１０では、マイコン２０３は、伝搬遅延時間ｔｎが閾値Ｔｂ（＞Ｔｃ）を上回っているか否かを判定し、上回っている場合はＳ１０１２に進む。閾値Ｔｂも、無線ＬＡＮ端末９０１とプロジェクタ１００との間の距離によって決まる時間であり、本実施例では該距離が５ｍである場合の電波の伝搬遅延時間である。したがって、ユーザ９０４がプロジェクタ１００から５ｍより遠くに離れたときにマイコン２０３はＳ１０１２に進む。一方、伝搬遅延時間ｔｎが閾値Ｔｂ以下である場合は、マイコン２０３はＳ１０１１に進み、Ｓ１００８と同様にカウンタｎを１つカウントアップするとともに伝搬遅延時間ｔｎを再度読み出してＳ１００９の判定に進む。
【００７０】
Ｓ１０１２では、マイコン２０３は、光源２１６の発光強度をＳ１００７で下げた発光強度からさらに下げる。そして、Ｓ１０１３において、マイコン２０３は、Ｓ１００８と同様にカウンタｎを１つカウントアップするとともに伝搬遅延時間ｔｎを再度読み出してＳ１０１４に進む。
【００７１】
Ｓ１０１４では、マイコン２０３は、伝搬遅延時間ｔｎが閾値Ｔｂを上回っており、かつカウンタｎが閾値Ｎより小さいか否かを確認する。伝搬遅延時間ｔｎがＴｂを上回っており、かつカウンタｎが閾値Ｎより小さい場合はマイコン２０３はＳ１０１５に進む。一方、伝搬遅延時間ｔｎが閾値Ｔｂ以下またはカウンタｎが閾値Ｎ以上である場合は、マイコン２０３はＳ１０１８に進み、光源２１６の発光強度をＳ１０１２で下げた発光強度より上げて通常の映像投射用の第３の発光強度に設定する。そして、Ｓ１０１９にて本処理を終了する。
【００７２】
Ｓ１０１５では、マイコン２０３は、伝搬遅延時間ｔｎが第４の閾値である閾値Ｔａ（＞Ｔｂ）を上回っているか否かを判定し、上回っている場合はＳ１０１７に進む。閾値Ｔａも、無線ＬＡＮ端末９０１とプロジェクタ１００との間の距離によって決まる時間であり、本実施例では該距離が１０ｍである場合の電波の伝搬遅延時間である。したがって、ユーザ９０５がプロジェクタ１００から１０ｍより遠くに離れたときにマイコン２０３はＳ１０１７に進む。一方、伝搬遅延時間ｔｎが閾値Ｔａ以下である場合は、マイコン２０３はＳ１０１６に進み、Ｓ１００８と同様にカウンタｎを１つカウントアップするとともに伝搬遅延時間ｔｎを再度読み出してＳ１０１４の判定に進む。
【００７３】
Ｓ１０１７では、マイコン２０３は、プロジェクタ１００を稼働状態から待機状態に遷移させ（第４の制御を行い）、光源２１６を消灯して、Ｓ１０１９で本処理を終了する。
【００７４】
本実施例では、伝搬遅延時間に対する３つの閾値Ｔｃ，Ｔｂ，Ｔａを設定する場合について説明したが、閾値Ｔｂ，Ｔａは、第３の閾値Ｔｃよりも長い第４の閾値としてまとめることができる。本実施例では、伝搬遅延時間が閾値Ｔｂと閾値Ｔａをそれぞれ上回るごとに、光源２１６の発光強度を第３の発光強度から段階的に下げている。
【００７５】
以上説明したように、各実施例では、マイコン２０３は、稼働状態と待機状態のうち一方の状態において計測された伝搬遅延時間ｔｎに応じて、プロジェクタ１００を該一方の状態から他方の状態に遷移させる。これにより、プロジェクタ１００と無線ＬＡＮ端末（ユーザ）との間に壁やドア等の障害物があっても安定的にユーザが近づいたり離れたりすることを検出して、プロジェクタの稼働状態と待機状態との間の遷移を良好に制御することができる。
【００７６】
実施例１〜４ではユーザが無線ＬＡＮ端末を携行する場合について説明したが、これに代えて、Bluetooth(R)等の他の無線通信用の端末を携行する場合でも、実施例１〜４と同様にプロジェクタを制御することができる。また、本実施例では、電子機器の例としてプロジェクタを挙げて説明した。しかし、街灯や、イベントホール、体育館等で使用される大型照明装置等、待機状態（光源点灯状態）と稼働状態（光源消灯状態）との間に遷移する他の電子機器に対しても、各種無線通信用の端末を用いて実施例１〜４の同様の制御を行うことができる。
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００７７】
以上説明した各実施例は代表的な例にすぎず、本発明の実施に際しては、各実施例に対して種々の変形や変更が可能である。
【符号の説明】
【００７８】
１００  プロジェクタ
２０３  プロジェクタ制御マイクロコンピュータ
２２１  無線ＬＡＮモジュール
３０１  無線ＬＡＮ端末
【図１】
2018185498.tif 000003
【図２】
2018185498.tif 000004
【図３】
2018185498.tif 000005
【図４】
2018185498.tif 000006
【図５】
2018185498.tif 000007
【図６】
2018185498.tif 000008
【図７】
2018185498.tif 000009
【図８】
2018185498.tif 000010
【図９】
2018185498.tif 000011
【図１０】
2018185498.tif 000012